(57)【要約】【課題】電源回路の実装面積を小さくしつつ、制御回路の信頼性、安全性等を担保することができる印刷装置を提供すること。【解決手段】媒体に印刷する印刷機構と、印刷機構を制御する制御回路と、主電圧を供給する主電源を有する電源回路と、を備え、電源回路は、主電圧に基づいて、制御回路に供給する複数の駆動電圧と、制御回路をリセットするリセット信号とを生成する入力電圧制御回路と、印刷機構と入力電圧制御回路に主電圧を供給するスイッチング回路と、主電圧に基づき、イネーブル信号を生成し、生成したイネーブル信号を入力電圧制御回路に供給するイネーブル回路と、ＯＮ状態にされた場合において、スイッチング回路とイネーブル回路に主電圧を供給する多接点スイッチと、を有し、入力電圧制御回路は、供給されたイネーブル信号に基づいて、複数の駆動電圧とリセット信号を所定のタイミングで制御回路に供給する、印刷装置。【選択図】図２
2020010552.tif 000002
【特許請求の範囲】
【請求項１】
媒体に印刷する印刷機構と、
前記印刷機構を制御する制御回路と、
主電圧を供給する主電源を有する電源回路と、
を備え、
前記電源回路は、
前記主電圧に基づいて、前記制御回路に供給する複数の駆動電圧と、前記制御回路をリセットするリセット信号とを生成する入力電圧制御回路と、
前記印刷機構と前記入力電圧制御回路に前記主電圧を供給するスイッチング回路と、
前記主電圧に基づき、イネーブル信号を生成し、生成した前記イネーブル信号を前記入力電圧制御回路に供給するイネーブル回路と、
ＯＮ状態にされた場合において、前記スイッチング回路と前記イネーブル回路に前記主電圧を供給する多接点スイッチと、
を有し、
前記入力電圧制御回路は、供給された前記イネーブル信号に基づいて、複数の前記駆動電圧と前記リセット信号を所定のタイミングで前記制御回路に供給する、印刷装置。
【請求項２】
前記イネーブル回路は、第１抵抗とコンデンサーを含む遅延回路を備える、請求項１に記載の印刷装置。
【請求項３】
前記多接点スイッチがＯＦＦ状態にされた場合において、前記コンデンサーと接続される第２抵抗を更に備え、
前記電源回路は、前記ＯＦＦ状態にされた場合において、前記第２抵抗を経由して前記コンデンサーの電荷を放電するとともに、前記スイッチング回路への前記主電圧の供給を遮断する、請求項２に記載の印刷装置。
【請求項４】
前記第２抵抗の抵抗値は、前記第１抵抗の抵抗値よりも小さい、請求項３に記載の印刷装置。
【請求項５】
前記入力電圧制御回路は、入出力部に供給される第１電圧と、制御部に供給される第２電圧と、記憶部に供給される第３電圧と、前記リセット信号とのそれぞれを、前記複数の前記駆動電圧として生成し、前記第１電圧、前記第２電圧、前記第３電圧、前記リセット信号の順に前記制御回路に供給する、請求項１から４のうちいずれか一項に記載の印刷装置。
【請求項６】
印刷機構を備えた印刷装置の電源回路であって、
主電圧を供給する主電源と、
前記印刷機構を制御する制御回路と、
前記主電圧に基づいて、前記制御回路に供給する複数の駆動電圧と、前記制御回路をリセットするリセット信号とを生成する入力電圧制御回路と、
前記入力電圧制御回路に前記主電圧を供給するスイッチング回路と、
前記主電圧に基づきイネーブル信号を生成し、生成した前記イネーブル信号を前記入力電圧制御回路に供給するイネーブル回路と、
ＯＮ状態にされた場合において、前記スイッチング回路と前記イネーブル回路に前記主電圧を供給する多接点スイッチと、
を有し、
前記入力電圧制御回路は、供給された前記イネーブル信号に基づいて、複数の前記駆動電圧と前記リセット信号を所定のタイミングで前記制御回路に供給する、電源回路。
【発明の詳細な説明】
【技術分野】
【０００１】
この発明は、印刷装置、及び電源回路に関する。
【背景技術】
【０００２】
ＣＰＵ（Central  Processing  Unit）等の制御回路の信頼性、安全性等を担保する技術の研究や開発が行われている。
【０００３】
制御回路は、正常な動作を担保するため、電源が投入されてから制御回路に複数の駆動電圧が供給されるまで、予め決められた長さ以上の期間となるように規定されている場合がある。例えば、制御回路に電源を再投入する場合において、制御回路の放電が完了されている必要があり、放電を完了するまでの期間を確保するように規定されていなくてはならない。
【０００４】
これに関し、対象装置への電源投入時又は電源再投入時において、リセットＩＣ（Integrated  Circuit）等によって制御回路へ駆動電圧を供給するタイミングを遅延させる電源回路が開示されている（例えば、特許文献１、２参照）。ここで、対象装置は、制御回路を備えた装置のことである。例えば、対象装置は、印刷装置等である。
【先行技術文献】
【特許文献】
【０００５】
【特許文献１】特開２００８−２３６８７３号公報
【特許文献２】特開２０１０−０１７０６７号公報
【発明の概要】
【発明が解決しようとする課題】
【０００６】
このようなリセットＩＣは、制御回路に駆動電圧が供給されるよりも前のタイミングにおいて駆動される必要がある。このため、特許文献１、２に記載された電源回路には、レギュレーター回路を含むリセットＩＣが備えられている、又は、リセットＩＣとともにリセットＩＣと別体のレギュレーター回路が備えられている。その結果、対象装置では、電源回路の実装面積を小さくすることができない場合があった。これは、対象装置の小型化を阻害する虞がある。ここで、レギュレーター回路は、制御回路が使用する駆動電圧と別の駆動電圧を生成し、生成した別の駆動電圧をリセットＩＣに供給する回路のことである。
【課題を解決するための手段】
【０００７】
上記課題を解決するために本発明の一態様は、媒体に印刷する印刷機構と、前記印刷機構を制御する制御回路と、主電圧を供給する主電源を有する電源回路と、を備え、前記電源回路は、前記主電圧に基づいて、前記制御回路に供給する複数の駆動電圧と、前記制御回路をリセットするリセット信号とを生成する入力電圧制御回路と、前記印刷機構と前記入力電圧制御回路に前記主電圧を供給するスイッチング回路と、前記主電圧に基づき、イネーブル信号を生成し、生成した前記イネーブル信号を前記入力電圧制御回路に供給するイネーブル回路と、ＯＮ状態にされた場合において、前記スイッチング回路と前記イネーブル回路に前記主電圧を供給する多接点スイッチと、を有し、前記入力電圧制御回路は、供給された前記イネーブル信号に基づいて、複数の前記駆動電圧と前記リセット信号を所定のタイミングで前記制御回路に供給する、印刷装置である。
【０００８】
また、本発明の一態様は、印刷機構を備えた印刷装置の電源回路であって、主電圧を供給する主電源と、前記印刷機構を制御する制御回路と、前記主電圧に基づいて、前記制御回路に供給する複数の駆動電圧と、前記制御回路をリセットするリセット信号とを生成する入力電圧制御回路と、前記入力電圧制御回路に前記主電圧を供給するスイッチング回路と、前記主電圧に基づきイネーブル信号を生成し、生成した前記イネーブル信号を前記入力電圧制御回路に供給するイネーブル回路と、ＯＮ状態にされた場合において、前記スイッチング回路と前記イネーブル回路に前記主電圧を供給する多接点スイッチと、を有し、前記入力電圧制御回路は、供給された前記イネーブル信号に基づいて、複数の前記駆動電圧と前記リセット信号を所定のタイミングで前記制御回路に供給する、電源回路である。
【図面の簡単な説明】
【０００９】
【図１】実施形態に係る印刷装置１の機能構成の一例を示す図である。
【図２】電源回路３０の回路構成の一例を示す図である。
【図３】印刷装置１の電源を投入したタイミングから切断したタイミングまでの期間内における第２コンデンサーＣ２の電圧の変化の一例を示す図である。
【発明を実施するための形態】
【００１０】
＜実施形態＞
以下、本発明の実施形態について、図面を参照して説明する。
【００１１】
＜印刷装置の概要＞
まず、実施形態に係る印刷装置の概要について説明する。
【００１２】
印刷装置は、媒体に印刷する印刷機構と、印刷機構を制御する制御回路と、主電圧を供給する主電源を有する電源回路と、を備える。また、電源回路は、主電圧に基づいて、制御回路に供給する複数の駆動電圧と、制御回路をリセットするリセット信号とを生成する入力電圧制御回路と、印刷機構と入力電圧制御回路に主電圧を供給するスイッチング回路と、主電圧に基づき、イネーブル信号を生成し、生成したイネーブル信号を入力電圧制御回路に供給するイネーブル回路と、ＯＮ（オン）状態にされた場合において、スイッチング回路とイネーブル回路に主電圧を供給する多接点スイッチと、を有する。また、入力電圧制御回路は、供給されたイネーブル信号に基づいて、複数の駆動電圧とリセット信号を所定のタイミングで制御回路に供給する。
【００１３】
これにより、印刷装置は、電源回路の実装面積を小さくしつつ、制御回路の信頼性、安全性等を担保することができる。その結果、印刷装置は、例えば、制御回路の信頼性、安全性等を担保したまま、全体のサイズを小さくすることができる。以下では、このような印刷装置の構成について詳しく説明する。
【００１４】
＜印刷装置の構成＞
以下、図１を参照し、実施形態に係る印刷装置１の機能構成について説明する。ここで、印刷装置１は、前述の印刷装置の一例である。
【００１５】
図１は、実施形態に係る印刷装置１の機能構成の一例を示す図である。印刷装置１は、外部電源２に接続される。そして、印刷装置１には、外部電源２から交流電圧が供給される。以下では、一例として、外部電源２が、１００ボルトの交流電圧を供給する電源である場合について説明する。なお、外部電源は、これに代えて、１００ボルトよりも低い交流電圧を供給する電源であってもよく、１００ボルトよりも高い交流電圧を供給する電源であってもよく、直流電圧を供給する電源であってもよい。
【００１６】
印刷装置１は、印刷機構１０と、制御回路２０と、電源回路３０を備える。なお、印刷装置１は、これらに加えて、他の機構、回路、装置等を備える構成であってもよい。
【００１７】
印刷機構１０は、前述の印刷機構の一例である。印刷機構１０は、媒体に画像を印刷するために必要な各種の機構を備える。印刷機構１０は、制御回路２０により制御される。印刷機構１０は、制御回路２０からの要求に応じて、媒体に印刷する。媒体は、例えば、印刷用紙等の紙である。なお、媒体は、シール台紙等の紙以外の媒体であってもよい。ここで、印刷機構１０の構成については、如何なる構成であってもよい。
【００１８】
制御回路２０は、前述の制御回路の一例である。制御回路２０は、印刷機構１０を制御する。制御回路２０は、電源回路３０から供給される複数の駆動電圧に基づいて動作する。また、制御回路２０は、電源回路３０から供給されるリセット信号に基づいてリセットされる。制御回路２０のリセットは、制御回路２０が備える各種の論理回路を予め決められた状態に初期化することである。制御回路２０は、リセットされることにより、正常に動作することができる。
【００１９】
電源回路３０は、前述の電源回路の一例である。電源回路３０は、例えば、ケーブルを介して前述の外部電源２と接続される。電源回路３０は、ＡＣ（Alternating  Current）／ＤＣ（Direct  Current）コンバーターＡＤＣ（図２参照）を備える。ＡＣ／ＤＣコンバーターＡＤＣは、１００ボルトの交流電圧を２４ボルトの直流電圧に変換する。なお、ＡＣ／ＤＣコンバーターＡＤＣは、１００ボルトの交流電圧を２４ボルトよりも低い直流電圧に変換する構成であってもよく、１００ボルトの交流電圧を２４ボルトよりも高い直流電圧に変換する構成であってもよい。また、ＡＣ／ＤＣコンバーターは、外部電源２が直流電圧を供給する電源である場合、ＤＣ／ＤＣコンバーターであってもよい。また、ＡＣ／ＤＣコンバーターと電源回路３０との間には、ＤＣ／ＤＣコンバーターが接続される構成であってもよい。また、ＡＣ／ＤＣコンバーターＡＤＣは、電源回路３０と別体であってもよい。ＡＣ／ＤＣコンバーターＡＤＣは、主電源の一例である。また、ＡＣ／ＤＣコンバーターＡＤＣから電源回路３０に供給される２４ボルトの直流電圧は、主電圧の一例である。
【００２０】
電源回路３０は、ＡＣ／ＤＣコンバーターＡＤＣから供給される２４ボルトの直流電圧に基づいて、制御回路２０に供給する複数の駆動電圧を生成する。電源回路３０は、生成した複数の駆動電圧を制御回路２０に供給する。以下では、複数の駆動電圧が、３．３ボルト、１．１ボルト、１．５ボルトの３つの駆動電圧である場合について説明する。なお、複数の駆動電圧は、２つの駆動電圧であってもよく、４つ以上の駆動電圧であってもよい。また、複数の駆動電圧の一部又は全部は、他の電圧値の駆動電圧であってもよい。電源回路３０は、生成した複数の駆動電圧を制御回路２０に供給する。
【００２１】
ここで、電源回路３０から制御回路２０に供給される３つの駆動電圧のうち、３．３ボルトの駆動電圧は、制御回路２０の論理回路を駆動する電圧である。３．３ボルトの駆動電圧は、第１電圧の一例である。また、制御回路２０の論理回路は、入出力部の一例である。また、電源回路３０から制御回路２０に供給される３つの駆動電圧のうち、１．１ボルトの駆動電圧は、制御回路２０が備える図示しないＣＰＵ（Central  Processing  Unit）のコアを駆動する電圧である。１．１ボルトの駆動電圧は、第２電圧の一例である。また、制御回路２０が備えるＣＰＵは、制御部の一例である。また、電源回路３０から制御回路２０に供給される３つの駆動電圧のうち、１．５ボルトの駆動電圧は、制御回路２０が備える図示しないＲＡＭ（Random  Access  Memory）を駆動する電圧である。１．５ボルトの駆動電圧は、第３電圧の一例である。制御回路２０が備えるＲＡＭは、記憶部の一例である。
【００２２】
電源回路３０は、制御回路２０に供給する複数の駆動信号とともに、制御回路２０をリセットするリセット信号を生成する。電源回路３０は、生成したリセット信号を、生成した複数の駆動電圧とともに制御回路２０に供給する。この際、電源回路３０は、生成した複数の駆動電圧と、生成したリセット信号とを、所定のタイミングで制御回路２０に供給する。所定のタイミングについては、後述する。
【００２３】
＜電源回路の回路構成＞
以下、図２を参照し、電源回路３０の回路構成について説明する。図２は、電源回路３０の回路構成の一例を示す図である。ここで、本実施形態では、電力を伝送する導体のことを、伝送路と称して説明する。伝送路は、例えば、基板上にプリントされた導体である。なお、伝送路は、基板上にプリントされた導体に代えて、他の導体であってもよい。
【００２４】
まず、電源回路３０が備える各回路素子と、電源回路３０が備える各回路素子の接続態様について説明する。
【００２５】
電源回路３０は、入力電圧制御回路３１と、スイッチング回路３２と、イネーブル回路３３と、多接点スイッチ３４と、第１コンデンサーＣ１と、４つの抵抗である第２抵抗Ｒ２〜第５抵抗Ｒ５と、トランジスターＴ１を有する。
【００２６】
入力電圧制御回路３１は、ＡＣ／ＤＣコンバーターＡＤＣから供給される２４ボルトの直流電圧に基づいて、制御回路２０に供給する３つの駆動電圧と、制御回路２０をリセットするリセット信号とを生成する。入力電圧制御回路３１は、第１端子３１Ａと、第２端子３１Ｂを備える。第１端子３１Ａは、ＡＣ／ＤＣコンバーターＡＤＣから供給される２４ボルトの直流電圧が供給される端子のことである。第２端子３１Ｂは、イネーブル信号が供給される端子のことである。
【００２７】
スイッチング回路３２は、印刷機構１０と入力電圧制御回路３１に２４ボルトの直流電圧を供給する。スイッチング回路３２は、例えば、Ｐ型のＭＯＳＦＥＴ（Metal-Oxide-Semiconductor  Field-Effect  Transistor）である。スイッチング回路３２は、３つの端子である第１端子３２Ａ〜第３端子３２Ｃを備える。第１端子３２Ａは、Ｐ型のＭＯＳＦＥＴであるスイッチング回路３２のソース端子のことである。第２端子３２Ｂは、Ｐ型のＭＯＳＦＥＴであるスイッチング回路３２のドレイン端子のことである。第３端子３２Ｃは、Ｐ型のＭＯＳＦＥＴであるスイッチング回路３２のゲート端子のことである。
【００２８】
ここで、スイッチング回路３２は、ゲート端子である第３端子３２Ｃに供給される電圧の大きさに応じて、ＯＮ（オン）状態とＯＦＦ（オフ）状態とのいずれかの状態に切り替わる。ＯＮ状態におけるスイッチング回路３２では、第１端子３２Ａと第２端子３２Ｂとの間が導通している。ＯＦＦ状態におけるスイッチング回路３２では、第１端子３２Ａと第２端子３２Ｂとの間が導通していない。
【００２９】
イネーブル回路３３は、２４ボルトの直流電圧に基づきイネーブル信号を生成する。イネーブル回路３３は、生成したイネーブル信号を入力電圧制御回路３１に供給する。イネーブル回路３３は、第２コンデンサーＣ２と、第１抵抗Ｒ１と、第６抵抗Ｒ６を有する。
【００３０】
多接点スイッチ３４は、２極双投形のスイッチであり、６つの端子である第１端子３４Ａ〜第６端子３４Ｆを有する。多接点スイッチ３４は、印刷装置１の電源が投入された場合（例えば、印刷装置１の電源スイッチがＯＮ（オン）状態に切り替えられた場合）、ＯＮ状態に切り替わる。一方、多接点スイッチ３４は、印刷装置１の電源が切断された場合（例えば、印刷装置１の電源スイッチがＯＦＦ（オフ）状態に切り替えられた場合）、ＯＦＦ状態に切り替わる。ＯＮ状態に切り替えられた多接点スイッチ３４では、第１端子３４Ａと第２端子３４Ｂとが電気的に接続されるとともに、第４端子３４Ｄと第５端子３４Ｅとが電気的に接続される。ＯＦＦ状態に切り替えられた多接点スイッチ３４では、第２端子３４Ｂと第３端子３４Ｃとが電気的に接続されるとともに、第５端子３４Ｅと第６端子３４Ｆとが電気的に接続される。多接点スイッチ３４は、ＯＮ状態にされた場合において、スイッチング回路３２とイネーブル回路３３に２４ボルトの直流電圧を供給する。なお、多接点スイッチ３４は、ＯＮ状態とＯＦＦ状態とのいずれかの状態に切り替わるが、ＯＮ状態及びＯＦＦ状態以外の他の状態に切り替わることはない。すなわち、多接点スイッチ３４は、例えば、第１端子３４Ａと第２端子３４Ｂとが電気的に接続されるとともに、第５端子３４Ｅと第６端子３４Ｆとが電気的に接続される状態等の状態に切り替わることはない。
【００３１】
トランジスターＴ１は、例えば、ＮＰＮ型のトランジスターである。トランジスターＴ１は、３つの端子である第１端子Ｔ１Ａ〜第３端子Ｔ１Ｃを備える。第１端子Ｔ１Ａは、ＮＰＮ型のトランジスターであるトランジスターＴ１のコレクター端子のことである。第２端子Ｔ１Ｂは、ＮＰＮ型のトランジスターであるトランジスターＴ１のエミッター端子のことである。第３端子Ｔ１Ｃは、ＮＰＮ型のトランジスターであるトランジスターＴ１のベース端子のことである。
【００３２】
ここで、トランジスターＴ１は、ベース端子である第３端子Ｔ１Ｃに供給される電流の大きさに応じて、ＯＮ状態（オン）とＯＦＦ（オフ）状態とのいずれかの状態に切り替わる。ＯＮ状態におけるトランジスターＴ１では、第１端子Ｔ１Ａと第２端子Ｔ１Ｂとの間が導通している。ＯＦＦ状態におけるトランジスターＴ１では、第１端子Ｔ１Ａと第２端子Ｔ１Ｂとの間が導通していない。
【００３３】
ＡＣ／ＤＣコンバーターＡＤＣが備える出力端子は、伝送路を介して、スイッチング回路３２の第１端子３２Ａと接続されている。ＡＣ／ＤＣコンバーターＡＤＣが備える出力端子と第１端子３２Ａとを接続する伝送路上には、ＡＣ／ＤＣコンバーターＡＤＣからスイッチング回路３２に向かって、第１接点Ｐ１、第２接点Ｐ２、第３接点Ｐ３の順に、第１接点Ｐ１と、第２接点Ｐ２と、第３接点Ｐ３とが設けられている。
【００３４】
第１接点Ｐ１は、伝送路を介して、多接点スイッチ３４の第１端子３４Ａと接続されている。第１接点Ｐ１と第１端子３４Ａとを接続する伝送路上には、前述の第３抵抗Ｒ３が設けられている。
【００３５】
第２接点Ｐ２は、伝送路を介して、トランジスターＴ１の第１端子Ｔ１Ａと接続されている。第２接点Ｐ２と第１端子Ｔ１Ａとを接続する伝送路上には、第４接点Ｐ４が設けられている。そして、第２接点Ｐ２と第１端子Ｔ１Ａとを接続する伝送路上のうち第２接点Ｐ２と第４接点Ｐ４との間には、第５抵抗Ｒ５が設けられている。また、第２接点Ｐ２と第１端子Ｔ１Ａとを接続する伝送路上のうち第４接点Ｐ４と第１端子Ｔ１Ａとの間には、第４抵抗Ｒ４が設けられている。
【００３６】
第４接点Ｐ４は、伝送路を介して、スイッチング回路３２の第３端子３２Ｃと接続されている。第４接点Ｐ４と第３端子３２Ｃとを接続する伝送路上には、第５接点Ｐ５が設けられている。
【００３７】
第５接点Ｐ５は、伝送路を介して、第３接点Ｐ３と接続されている。第５接点Ｐ５と第３接点Ｐ３とを接続する伝送路上には、第１コンデンサーＣ１が設けられている。第１コンデンサーＣ１は、大きな電圧がスイッチング回路３２の第３端子３２Ｃに対して急に供給されることを抑制する。
【００３８】
スイッチング回路３２の第２端子３２Ｂは、伝送路を介して、入力電圧制御回路３１の第１端子３１Ａと接続されている。第２端子３２Ｂと第１端子３１Ａとを接続する伝送路上には、第６接点Ｐ６が設けられている。
【００３９】
第６接点Ｐ６は、伝送路を介して、多接点スイッチ３４の第４端子３４Ｄと接続されている。第６接点Ｐ６と第４端子３４Ｄとを接続する伝送路上には、イネーブル回路３３が備える第６抵抗Ｒ６が設けられている。また、第６接点Ｐ６は、伝送路を介して、図示しない印刷機構１０と接続されている。
【００４０】
トランジスターＴ１の第２端子Ｔ１Ｂは、伝送路を介して、グラウンドに接地されている。
【００４１】
トランジスターＴ１の第３端子Ｔ１Ｃは、伝送路を介して、多接点スイッチ３４の第２端子３４Ｂと接続されている。
【００４２】
多接点スイッチ３４の第３端子３４Ｃは、伝送路を介して、グラウンドに接地されている。
【００４３】
多接点スイッチ３４の第５端子３４Ｅは、伝送路を介して、入力電圧制御回路３１の第２端子３１Ｂと接続されている。第５端子３４Ｅと第２端子３１Ｂとを接続する伝送路上には、多接点スイッチ３４から入力電圧制御回路３１に向かって、第７接点Ｐ７、第８接点Ｐ８の順に、第７接点Ｐ７と、第８接点Ｐ８とが設けられている。
【００４４】
第７接点Ｐ７は、伝送路を介して、グラウンドに接地されている。第７接点Ｐ７とグラウンドとを接続する伝送路上には、第１抵抗Ｒ１が設けられている。
【００４５】
第８接点Ｐ８は、伝送路を介して、グラウンドに接地されている。第８接点Ｐ８とグラウンドとを接続する伝送路上には、第２コンデンサーＣ２が設けられている。
【００４６】
次に、このような回路構成に基づく電源回路３０の動作について説明する。
【００４７】
多接点スイッチ３４がＯＦＦ状態である場合、トランジスターＴ１は、ＯＦＦ状態である。その結果、スイッチング回路３２は、ＯＦＦ状態である。すなわち、スイッチング回路３２は、印刷機構１０と入力電圧制御回路３１に２４ボルトの直流電圧を供給しない。
【００４８】
また、多接点スイッチ３４がＯＦＦ状態である場合、第２コンデンサーＣ２に蓄えられている電荷は、第２抵抗Ｒ２を介して放電される。このため、多接点スイッチ３４がＯＦＦ状態である期間が、第２コンデンサーＣ２に蓄えられている電荷の第２抵抗Ｒ２を介した放電が完了する期間よりも長い場合、第２コンデンサーＣ２には、電荷が蓄えられていない。
【００４９】
ここで、ＯＦＦ状態であった多接点スイッチ３４がＯＮ状態に切り替えられた場合、トランジスターＴ１の状態は、ＯＦＦ状態からＯＮ状態に切り替わる。その結果、スイッチング回路３２の状態は、ＯＦＦ状態からＯＮ状態に切り替わる。すなわち、スイッチング回路３２は、印刷機構１０と入力電圧制御回路３１に２４ボルトの直流電圧を供給する。
【００５０】
スイッチング回路３２が印刷機構１０と入力電圧制御回路３１に２４ボルトの直流電圧を供給し始めると、第６接点Ｐ６を介してイネーブル回路３３にも２４ボルトの直流電圧が供給され始める。その結果、イネーブル回路３３において、第２コンデンサーＣ２が充電され始める。第２コンデンサーＣ２が充電され始めると、入力電圧制御回路３１の第２端子３１Ｂには、第２コンデンサーＣ２に充電された電荷量に応じた大きさの電圧が供給され始める。そして、第２コンデンサーＣ２の充電が完了した場合、入力電圧制御回路３１の第２端子３１Ｂには、２４ボルトの直流電圧が、イネーブル信号として供給される。イネーブル信号は、３つの駆動電圧の生成を入力電圧制御回路３１に開始させる信号（すなわち、電源シーケンスを開始させる信号）のことである。すなわち、イネーブル回路３３は、供給された２４ボルトの直流電圧に基づいて、イネーブル信号を生成する。イネーブル回路３３は、生成したイネーブル信号を入力電圧制御回路３１の第２端子３１Ｂに供給する。
【００５１】
ここで、第２コンデンサーＣ２は、このように充電が完了するまでの時間分、２４ボルトの直流電圧がイネーブル信号として入力電圧制御回路３１に供給されるタイミングを遅延させる。このため、第１抵抗Ｒ１と第６抵抗Ｒ６と第２コンデンサーＣ２は、イネーブル回路３３において、図２に示した遅延回路ＤＣとして動作する。第２コンデンサーＣ２は、コンデンサーの一例である。
【００５２】
イネーブル信号が供給された場合、入力電圧制御回路３１は、供給されたイネーブル信号に基づいて、３つの駆動電圧とリセット信号を所定のタイミングで制御回路２０に供給する。所定のタイミングは、例えば、３．３ボルトの駆動電圧、１．１ボルトの駆動電圧、１．５ボルトの駆動電圧、リセット信号の順に、３つの駆動電圧とリセット信号のそれぞれが制御回路２０に供給されるタイミングであれば、如何なるタイミングであってもよい。
【００５３】
ここで、制御回路２０は、制御回路２０の正常な動作を担保するため、３つの駆動電圧が供給されるよりも前のタイミングにおいて、制御回路２０が備える各種のコンデンサーの充電が完了されている必要がある。このため、従来の印刷装置は、例えば、リセットＩＣ（Integrated  Circuit）等によって、従来の印刷装置に電源が投入されたタイミングから、駆動電圧が供給されるまでの時間を遅延させていた。しかしながら、従来の印刷装置がリセットＩＣを備える場合、従来の印刷装置は、リセットＩＣの分だけ回路の実装面積を小さくすることができない場合があった。
【００５４】
そこで、印刷装置１は、図２に示した電源回路３０を備える。電源回路３０は、製造者、設計者等による第２コンデンサーＣ２の静電容量と第１抵抗Ｒ１の抵抗値と第６抵抗Ｒ６の抵抗値との調整によって、リセットＩＣを備えずとも、印刷装置１に電源が投入されたタイミングから３つの駆動電圧が制御回路２０に供給されるまでの時間を、第２コンデンサーＣ２の静電容量、第１抵抗Ｒ１の抵抗値、及び第６抵抗Ｒ６の抵抗値に応じた時間分遅延させることができる。その結果、印刷装置１は、制御回路２０の信頼性、安全性等を担保したまま、電源回路３０の実装面積を小さくすることができる。
【００５５】
また、電源回路３０では、抵抗、コンデンサー等の単体素子（ディスクリート部品）のみによって、このような遅延時間を発生させるイネーブル回路３３が構成されている。このため、電源回路３０は、実装面積を小さくするとともに、製造コストの増大を抑制しつつ、制御回路２０の信頼性、安全性等を担保することができる。
【００５６】
一方、ＯＮ状態であった多接点スイッチ３４がＯＦＦ状態に切り替えられた場合、トランジスターＴ１の状態は、ＯＮ状態からＯＦＦ状態に切り替わる。その結果、スイッチング回路３２の状態は、ＯＮ状態からＯＦＦ状態に切り替わる。すなわち、スイッチング回路３２は、印刷機構１０と入力電圧制御回路３１に２４ボルトの直流電圧を供給しない。換言すると、電源回路３０は、スイッチング回路３２への２４ボルトの直流電圧の供給を遮断する。
【００５７】
また、ＯＮ状態であった多接点スイッチ３４がＯＦＦ状態に切り替えられた場合、多接点スイッチ３４の第５端子３４Ｅと第６端子３４Ｆとが接続される。このため、第２コンデンサーＣ２の電荷（すなわち、第２コンデンサーＣ２に蓄えられていた電荷）は、第２抵抗Ｒ２を経由してグラウンドに放電される。ここで、電源回路３０は、製造者、設計者等による第２抵抗Ｒ２の抵抗値の調整によって、第２コンデンサーＣ２の電荷が放電する時間を調整することができる。具体的には、第２抵抗Ｒ２の抵抗値を小さくするほど、第２コンデンサーＣ２の電荷が放電する時間が短くなる。
【００５８】
ここで、電源回路３０では、図２に示したように、第２コンデンサーＣ２の充電に係る抵抗と、第２コンデンサーＣ２の放電に係る抵抗とが別の抵抗である。これにより、電源回路３０は、第２コンデンサーＣ２の静電容量を大きくすることなく、印刷装置１に電源が投入されたタイミングから３つの駆動電圧が制御回路２０に供給されるまでの遅延時間を長くすることと、第２コンデンサーＣ２の放電時間を短くすることとを両立させることができる。第２コンデンサーＣ２の静電容量を大きくする必要がないため、印刷装置１は、製造コストの増大を抑制することができる。なお、この一例において、第２コンデンサーＣ２の充電に係る抵抗は、前述の第１抵抗Ｒ１のことである。また、この一例において、第２コンデンサーＣ２の放電に係る抵抗は、前述の第２抵抗Ｒ２のことである。
【００５９】
また、電源回路３０は、前述したように、印刷装置１に電源が投入されたタイミングから３つの駆動電圧が制御回路２０に供給されるまでの遅延時間を長くしつつ、第２コンデンサーＣ２の放電時間を短くすることができる。このため、電源回路３０は、印刷装置１の電源の投入と、印刷装置１の電源の切断とが短時間（例えば、１秒程度）のうちに繰り返された場合であっても、第２コンデンサーＣ２の放電が完了するように調整することができる。その結果、制御回路２０は、制御回路２０の放電を完了するまでの期間を確保することができる。すなわち、電源回路３０は、制御回路２０の信頼性、安全性等を担保することができる。
【００６０】
ここで、図３は、印刷装置１の電源を投入したタイミングから切断したタイミングまでの期間内における第２コンデンサーＣ２の電圧の変化の一例を示す図である。ここで、印刷装置１の電源を投入したタイミングから切断したタイミングまでの期間は、例えば、印刷装置１の電源スイッチがＯＮ（オン）状態に切り替えられたタイミングから、電源スイッチがＯＦＦ（オフ）状態に切り替えられたタイミングまでの期間のことである。
図３に示した２つのグラフの横軸は、時間を示している。図３に示した上側のグラフの縦軸は、印刷装置１の電源の状態を示している。図３に示した上側のグラフの縦軸において、「ＯＮ」は、印刷装置１の電源が投入されている状態を示している。また、図３に示した上側のグラフの縦軸において、「ＯＦＦ」は、印刷装置１の電源が切断されている状態を示している。すなわち、図３に示した時刻ｔ１は、印刷装置１の電源が投入されたタイミングを示している。また、図３に示した時刻ｔ３は、印刷装置１の電源が切断されたタイミングを示している。
【００６１】
また、図３に示した下側のグラフの縦軸は、第２コンデンサーＣ２の電圧を示している。また、図３に示した下側のグラフの縦軸において、「Ｘ１」は、充電が完了した状態の第２コンデンサーＣ２の電圧を示している。すなわち、図３に示した時刻ｔ２は、第２コンデンサーＣ２の充電が完了したタイミングを示している。ここで、第２コンデンサーＣ２の電圧がＸ１に達した場合、入力電圧制御回路３１の第２端子３１Ｂには、２４ボルトの直流電圧が、イネーブル信号として供給され始める。すなわち、印刷装置１は、製造者、設計者等による第２コンデンサーＣ２の静電容量と第１抵抗Ｒ１の抵抗値との調整によって、時刻ｔ１から時刻ｔ２までの期間の長さを調整することができる。例えば、制御回路２０の放電に要する時間が１００ミリ秒である場合、印刷装置１は、製造者、設計者等によって第２コンデンサーＣ２の静電容量と第１抵抗Ｒ１の抵抗値とが調整され、時刻ｔ１から時刻ｔ２までの期間の長さを１００ミリ秒以上に調整される。これにより、印刷装置１は、電源回路３０の実装面積を小さくしつつ、制御回路２０の信頼性、安全性等を担保することができる。
【００６２】
また、時刻ｔ３において印刷装置１の電源が切断された場合、前述の多接点スイッチ３４の状態が、ＯＮ状態からＯＦＦ状態に切り替わる。その結果、第２コンデンサーＣ２の電荷（すなわち、第２コンデンサーＣ２に蓄えられていた電荷）は、前述した通り、第２抵抗Ｒ２を経由してグラウンドに放電される。図３に示した時刻ｔ４は、第２コンデンサーＣ２の放電が完了したタイミングを示している。すなわち、印刷装置１は、製造者、設計者等による第２抵抗Ｒ２の抵抗値の調整によって、時刻ｔ３から時刻ｔ４までの期間の長さを調整することができる。時刻ｔ３から時刻ｔ４までの期間の長さは、例えば、数ミリ秒であるが、これに限られるわけではない。
【００６３】
ここで、第２抵抗Ｒ２の抵抗値は、第１抵抗Ｒ１の抵抗値よりも小さいことが望ましい。何故なら、この場合、時刻ｔ１から時刻ｔ２までの期間に対して、時刻ｔ３から時刻ｔ４までの期間の方が短くなるためである。その結果、例えば、ユーザーによって電源の投入と切断とを短時間に繰り返された場合であっても、印刷装置１は、第２コンデンサーＣ２の放電に要する時間を短くするとともに、印刷装置１に電源が投入されたタイミングから制御回路２０に３つの駆動電圧が供給されるまでの時間を長くすることができる。なお、第２抵抗Ｒ２の抵抗値は、第１抵抗Ｒ１の抵抗値以上であってもよい。
【００６４】
以上説明したように、実施形態における印刷装置（この一例において、印刷装置１）は、媒体に印刷する印刷機構（この一例において、印刷機構１０）と、印刷機構を制御する制御回路（この一例において、制御回路２０）と、主電圧（この一例において、２４ボルトの直流電圧）を供給する主電源（この一例において、ＡＣ／ＤＣコンバーターＡＤＣ）を有する電源回路（この一例において、電源回路３０）と、を備える。また、電源回路は、主電圧に基づいて、制御回路に供給する複数の駆動電圧と、制御回路をリセットするリセット信号とを生成する入力電圧制御回路（この一例において、入力電圧制御回路３１）と、印刷機構と入力電圧制御回路に主電圧を供給するスイッチング回路（この一例において、スイッチング回路３２）と、主電圧に基づき、イネーブル信号を生成し、生成したイネーブル信号を入力電圧制御回路に供給するイネーブル回路（この一例において、イネーブル回路３３）と、ＯＮ状態にされた場合において、スイッチング回路とイネーブル回路に主電圧を供給する多接点スイッチ（この一例において、多接点スイッチ３４）と、を有する。また、入力電圧制御回路は、供給されたイネーブル信号に基づいて、複数の駆動電圧とリセット信号を所定のタイミングで制御回路に供給する。これにより、印刷装置は、電源回路の実装面積を小さくしつつ、制御回路の信頼性、安全性等を担保することができる。
【００６５】
また、印刷装置では、イネーブル回路は、第１抵抗（この一例において、第１抵抗Ｒ１）とコンデンサー（この一例において、第２コンデンサーＣ２）を含む遅延回路（この一例において、遅延回路ＤＣ）を備える、構成が用いられてもよい。
【００６６】
また、印刷装置では、多接点スイッチがＯＦＦ状態にされた場合においてコンデンサーと接続される第２抵抗（この一例において、第２抵抗Ｒ２）を更に備える、構成が用いられてもよい。また、印刷装置では、電源回路は、ＯＦＦ状態にされた場合において、第２抵抗を経由してコンデンサーの電荷を放電するとともに、スイッチング回路への主電圧の供給を遮断する、構成が用いられてもよい。
【００６７】
また、印刷装置では、第２抵抗の抵抗値は、第１抵抗の抵抗値よりも小さい、構成が用いられてもよい。
【００６８】
また、印刷装置では、入力電圧制御回路は、入出力部（この一例において、制御回路２０の論理回路）に供給される第１電圧（この一例において、３．３ボルトの駆動電圧）と、制御部（この一例において、制御回路２０のＣＰＵ）に供給される第２電圧（この一例において、１．１ボルトの駆動電圧）と、記憶部（この一例において、制御回路２０のＲＡＭ）に供給される第３電圧（この一例において、１．５ボルトの駆動電圧）と、リセット信号とのそれぞれを、複数の駆動電圧として生成し、第１電圧、第２電圧、第３電圧、リセット信号の順に前記制御回路に供給する、構成が用いられてもよい。
【００６９】
また、入力電圧制御回路３１は、基準電圧が設定されており、基準電圧より第２端子３１Ｂに入力されるイネーブル信号の電圧が高くなったときに、３つの駆動電圧とリセット信号を所定のタイミングで制御回路２０に供給する構成であってもよい。この場合、例えば、入力電圧制御回路３１では、基準電圧を、１２ボルト、５ボルト等に設定することができる。
【００７０】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【００７１】
１…印刷装置、２…外部電源、１０…印刷機構、２０…制御回路、３０…電源回路、３１…入力電圧制御回路、３２…スイッチング回路、３３…イネーブル回路、３４…多接点スイッチ、ＡＤＣ…ＡＣ／ＤＣコンバーター、Ｃ１…第１コンデンサー、Ｃ２…第２コンデンサー、ＤＣ…遅延回路、Ｒ１…第１抵抗、Ｒ２…第２抵抗、Ｒ３…第３抵抗、Ｒ４…第４抵抗、Ｒ５…第５抵抗、Ｒ６…第６抵抗、Ｔ１…トランジスター
【図１】
2020010552.tif 000003
【図２】
2020010552.tif 000004
【図３】
2020010552.tif 000005